(57)【特許請求の範囲】
【請求項１】
台割に必要な台割データを管理する第１のコンピュータシステムと、台割作業を行う作業者によって操作される第２のコンピュータシステムと、をインターネットを介して接続することにより構成される雑誌・書籍の台割管理システムであって、
前記第１のコンピュータシステムは、台割用Ｗｅｂページをインターネット上に公開するＷｅｂページ公開手段と、前記台割用Ｗｅｂページを利用して台割データを収集する台割情報収集手段と、収集された台割データを格納する台割情報格納手段と、この台割情報格納手段内の情報に基づいて台割表を作成する台割表作成手段と、前記台割用Ｗｅｂページを利用して、各頁に割り付けられる素材の内容となる素材データを収集する素材情報収集手段と、収集された素材データを格納する素材情報格納手段と、を有し、
前記第２のコンピュータシステムは、インターネット上に公開された前記台割用Ｗｅｂページを閲覧するＷｅｂブラウザ手段と、前記台割用Ｗｅｂページ上で台割データの入力処理を行う台割情報入力手段と、前記台割用Ｗｅｂページ上で素材データの登録処理を行う素材情報登録手段と、を有し、
前記台割表作成手段は、１頁を１つの図形に対応させ、特定の記事もしくは広告が割り付けられている頁に対応する図形内に、当該記事もしくは広告を示す情報を表示した頁群台割表を作成する機能を有し、
前記Ｗｅｂページ公開手段は、前記Ｗｅｂブラウザ手段によって解釈実行可能な言語で記述された台割情報入力用プログラムおよび素材情報登録用プログラムが埋め込まれ、前記頁群台割表を含む台割用Ｗｅｂページを公開する機能を有し、
前記台割情報入力手段は、前記台割情報入力用プログラムを利用して、前記台割用Ｗｅｂページ上での指示入力に基づいて台割データの入力処理を行う機能を有し、前記台割情報入力用プログラムは、作業者が、前記台割情報入力手段を用いて、台割データを入力する作業を行った場合に、入力された台割データが、インターネットを介して前記第１のコンピュータシステム内の前記台割情報収集手段へと送信され、前記台割情報格納手段に格納されるように機能し、
素材情報登録手段は、前記第２のコンピュータシステム側に用意された素材データを一覧表示するための素材リストを表示する機能と、この素材リスト内に表示されている特定の素材データを示す第１の指示入力と、前記台割用Ｗｅｂページ上の前記頁群台割表内の特定の頁を示す第２の指示入力と、を受け付ける機能と、前記素材情報登録用プログラムを利用して、前記第１の指示入力によって指示された特定の素材データを、前記第２の指示入力によって指示された特定の頁に登録する機能と、を有し、前記素材情報登録用プログラムは、作業者が、前記素材情報登録手段を用いて、前記第２のコンピュータシステム側に用意された所定の素材データを、所定の頁に登録する作業を行った場合に、前記素材データおよびその登録頁を示すデータが、インターネットを介して前記第１のコンピュータシステム内の前記素材情報収集手段へと送信され、前記素材情報格納手段内に格納されるように機能することを特徴とする雑誌・書籍の台割管理システム。
【請求項２】
請求項１に記載の台割管理システムにおいて、
台割情報収集手段が、台割データとして、各折丁ごとの頁構成を示す折丁構成データを収集する機能を有し、
台割表作成手段が、１頁を１つの図形に対応させ、同一の折丁に属する頁についての図形を同一の行に配置することにより台割表を作成する機能を有することを特徴とする雑誌・書籍の台割管理システム。
【請求項３】
請求項１または２に記載の台割管理システムにおいて、
台割情報収集手段が、台割データとして、掲載対象となる個々の記事もしくは広告についての名称および頁数を示すデータを収集する第１の機能と、台割データとして、前記個々の記事もしくは広告についての割付位置を示す割付位置データを収集する第２の機能と、を有し、
Ｗｅｂページ公開手段が、前記第１の機能によって収集された個々の記事もしくは広告を一覧表示するための記事・広告リストと、前記頁群台割表と、を同一の台割用Ｗｅｂページ上に公開する機能を有し、
台割情報入力手段が、前記台割用Ｗｅｂページ上で、前記記事・広告リスト内に表示されている特定の記事もしくは広告を示す第１の指示入力と、前記頁群台割表内の特定の頁を示す第２の指示入力と、を受け付ける機能を有し、
前記第１の指示入力によって指示された特定の記事もしくは広告に対して、前記第２の指示入力によって指示された特定の頁を割付位置とする処理を行うことにより、台割情報収集手段の前記第２の機能が果たされるように構成されていることを特徴とする雑誌・書籍の台割管理システム。
【請求項４】
請求項３に記載の台割管理システムにおいて、
作業者によって、記事・広告リスト内の特定の記事もしくは広告の表示を、頁群台割表内の特定の頁に対応する図形内にドラッグアンドドロップする操作が行われた場合に、前記特定の記事もしくは広告を示す第１の指示入力および前記特定の頁を示す第２の指示入力が行われたものとすることを特徴とする雑誌・書籍の台割管理システム。
【請求項５】
請求項４に記載の台割管理システムにおいて、
作業者によって、頁群台割表内の特定の図形内から記事・広告リスト内へのドラッグアンドドロップ操作、または頁群台割表内の特定の図形内から別な図形内へのドラッグアンドドロップ操作が行われた場合に、台割情報格納手段内に格納されている前記操作に対応する記事もしくは広告についての割付位置データについて、行われた操作に応じた消去処理または変更処理が行われるようにしたことを特徴とする雑誌・書籍の台割管理システム。
【請求項６】
請求項３〜５のいずれかに記載の台割管理システムにおいて、
記事・広告リストに、記事もしくは広告の名称、頁数、ノンブルの各表示欄を設け、割付位置が定まった記事・広告については、ノンブルの表示欄に当該割付位置を示すノンブルを表示するようにし、
台割情報入力手段が、前記記事・広告リストにおける名称、頁数、ノンブルのいずれかの表示欄内の１点を指定する操作によって第１の指示入力を受け付ける機能を有し、
この第１の指示入力によって指示された特定の記事もしくは広告が複数の頁に渡る場合には、第２の指示入力によって指示された特定の頁を、割付位置の先頭頁とする処理が行われることを特徴とする雑誌・書籍の台割管理システム。
【請求項７】
請求項１〜６のいずれかに記載の台割管理システムにおいて、
作業者によって、素材リスト内の特定の素材データを示す表示を、頁群台割表内の特定の頁に対応する図形内にドラッグアンドドロップする操作が行われた場合に、前記特定の素材データを示す第１の指示入力および前記特定の頁を示す第２の指示入力が行われたものとすることを特徴とする雑誌・書籍の台割管理システム。
【請求項８】
請求項１〜７のいずれかに記載の台割管理システムにおいて、
素材データの登録頁を示すデータとして、当該素材データが用いられる特定の記事もしくは広告の割付位置を基準とした相対頁を示すデータを用いるようにすることを特徴とする雑誌・書籍の台割管理システム。
【請求項９】
請求項１〜８のいずれかに記載の台割管理システムにおいて、
素材情報収集手段が、既に素材情報格納手段内に格納済みの素材データを示す情報をＷｅｂページ公開手段に与える機能を有し、
Ｗｅｂページ公開手段が、前記格納済みの素材データを示す情報をＷｅｂページ上に公開する機能を有し、
作業者が、Ｗｅｂブラウザを利用して、格納済みの素材データを確認することができるようにしたことを特徴とする雑誌・書籍の台割管理システム。
【請求項１０】
請求項１〜９のいずれかに記載の台割管理システムにおいて、
台割用Ｗｅｂページの閲覧操作、台割用Ｗｅｂページを利用した台割データの入力操作、または、台割用Ｗｅｂページを利用した素材データの登録操作について、個々の作業者ごとに各操作を許可するか否かを示すアクセス権の設定を行い、
Ｗｅｂブラウザ手段からＷｅｂページ公開手段へのアクセスがあった場合に、前記アクセス権の範囲内で台割用Ｗｅｂページの公開が行われるようにしたことを特徴とする雑誌・書籍の台割管理システム。
【請求項１１】
請求項１〜１０のいずれかに記載の台割管理システムにおいて、
同一の雑誌もしくは書籍に関して、同一の台割用Ｗｅｂページもしくは相互に内容が影響する台割用Ｗｅｂページ群について、複数の作業者にアクセスが許可されていた場合に、これら複数の作業者のうちの誰か一人が先行してアクセスを行っている間は、他の作業者のアクセスが禁止されるように構成したことを特徴とする雑誌・書籍の台割管理システム。
【請求項１２】
請求項１〜１１のいずれかに記載の台割管理システムにおける第１のコンピュータシステムとして、コンピュータを動作させるためのプログラムを記録したコンピュータ読取り可能な記録媒体。
【発明の詳細な説明】
【０００１】
【産業上の利用分野】
本発明は雑誌・書籍の台割管理システムに関し、特に、インターネットを利用して台割作業を行うことが可能な台割管理システムに関する。
【０００２】
【従来の技術】
一般的な雑誌は、頁ごとに様々な用紙が用いられており、色数や印刷方法なども頁ごとに様々である。このため、雑誌は、同じ用紙，同じ色数，同じ印刷方法で形成される折丁という単位部品を組み合わせることにより製造される。すなわち、雑誌を製造するには、その本の頁編成に応じて、まず、製版にて各折丁に必要な頁の版を揃え、この版によって各折丁を印刷し、これらをすべて揃えて製本することになる。ところが、１つの雑誌について、これらの工程がまとまって行われるわけではない。掲載する記事や広告によっては、早くから内容が確定しているものもあれば、速報性を有するために発刊日直前まで原稿が得られないものもある。このため、印刷会社では、雑誌の製造工程の進捗管理を、個々の記事や広告の単位で行っている。一般書籍の場合、雑誌に比べれば、用紙、色数、印刷方法などのバリエーションは少なくなるが、やはり折丁の構成を予め定めておく場合が少なくない。
【０００３】
一般に印刷業界では、個々の掲載内容をどの折丁のどの位置に割り当てるかを決める作業を台割作業と呼んでおり、この台割作業をコンピュータを用いて管理するために台割管理システムが用いられている。実用上は、更に各掲載内容についての進捗状況（原稿の入稿，校正，校了，印刷などの段階）の管理までを含んだ作業が台割管理システムを利用して行われている。台割の管理は、通常、台割表に基づいて行われる。台割表は、１つの雑誌や書籍に掲載される個々の記事や広告ごとに、折丁、頁数などを表の形式で指示したものであり、印刷会社の営業担当者は、自分の担当する雑誌や書籍についての進捗状態の管理を、この台割表を参照して行っている。
【０００４】
このような台割表を自動的に作成する装置は、たとえば、特開昭６３−８５５５９号公報に開示されている。また、このような台割表に関する情報と個々の内容ごとの進捗状況に関する情報とをコンピュータに格納し、このコンピュータによって進捗管理を行うシステムが、特開平６−３２８８７８号公報や特開平１１−２０３４９２号公報に開示されている。このようなシステムでは、台割表に関する種々の情報を台割データというデジタルデータの形式で取り扱うことができるため、紙媒体の台割表を用いた従来の台割管理に比べて、誤りが発生しにくいというメリットが得られる。
【０００５】
【発明が解決しようとする課題】
通常、雑誌や書籍の作成は、出版社と印刷会社との分業によって行われる。すなわち、雑誌や書籍の頁構成や掲載内容を決定する作業は出版社側の仕事であり、印刷機を稼働させながら実際に印刷や製本を行う作業は印刷会社側の仕事である。このため、印刷会社側の営業担当者は、出版社側の編集担当者と緊密な連絡をとり、台割管理を行う必要がある。特に、月刊誌や週刊誌といった定期刊行物の場合、発行日に応じた納期が厳格に定められるため、個々の掲載内容ごとに、入稿、出校、校了といった進捗状況を把握し、必要に応じて原稿の催促などを行わねばならない。上述したコンピュータによって台割表を自動的に作成する装置や、このような台割表に基づいて進捗管理を行うシステムを利用すれば、このような台割管理をかなり効率的に行うことが可能になる。
【０００６】
しかしながら、上述した各公報に開示された従来のこの種のシステムは、出版社側のパソコンに専用のアプリケーションソフトウエアをインストールする必要があり、メンテナンスの負担が大きいという問題がある。すなわち、印刷会社側の営業担当者は、出版社側に設置されたパソコンに、専用のアプリケーションソフトウエアをインストールして稼働させる作業を行い、トラブルが発生した場合には、これに対処する必要がある。また、専用のアプリケーションソフトウエアがバージョンアップした場合には、このバージョンアップのための必要な処理を行わねばならない。
【０００７】
更に、出版社側のシステムと印刷会社側のシステムとの連繋を円滑に行う上でも問題がある。すなわち、出版社側のシステムで作成された台割データを、印刷会社側のシステムへと移す作業が必要になるため、両システムに保存されている台割データの整合性を維持するための配慮が必要になる。特に、月刊誌や週刊誌といった定期刊行物の場合、発行日直前に台割が変更になるようなことも少なくないので、出版社側の台割データと印刷会社側の台割データとの整合性を維持する作業はかなり負担になる。
【０００８】
そこで本発明は、台割データを一元管理することができ、作業負担の少ない雑誌・書籍の台割管理システムを提供することを目的とする。
【０００９】
【課題を解決するための手段】
(1)   本発明の第１の態様は、台割に必要な台割データを管理する第１のコンピュータシステムと、台割作業を行う作業者によって操作される第２のコンピュータシステムと、をインターネットを介して接続することにより雑誌・書籍の台割管理システムを構成し、
第１のコンピュータシステムを、台割用Ｗｅｂページをインターネット上に公開するＷｅｂページ公開手段と、この台割用Ｗｅｂページを利用して台割データを収集する台割情報収集手段と、収集された台割データを格納する台割情報格納手段と、この台割情報格納手段内の情報に基づいて台割表を作成する台割表作成手段と、台割用Ｗｅｂページを利用して、各頁に割り付けられる素材の内容となる素材データを収集する素材情報収集手段と、収集された素材データを格納する素材情報格納手段と、によって構成し、
第２のコンピュータシステムを、インターネット上に公開された台割用Ｗｅｂページを閲覧するＷｅｂブラウザ手段と、この台割用Ｗｅｂページ上で台割データの入力処理を行う台割情報入力手段と、台割用Ｗｅｂページ上で素材データの登録処理を行う素材情報登録手段と、によって構成し、
台割表作成手段は、１頁を１つの図形に対応させ、特定の記事もしくは広告が割り付けられている頁に対応する図形内に、当該記事もしくは広告を示す情報を表示した頁群台割表を作成する機能を有し、
Ｗｅｂページ公開手段は、Ｗｅｂブラウザ手段によって解釈実行可能な言語で記述された台割情報入力用プログラムおよび素材情報登録用プログラムが埋め込まれ、頁群台割表を含む台割用Ｗｅｂページを公開する機能を有し、
台割情報入力手段は、台割情報入力用プログラムを利用して、台割用Ｗｅｂページ上での指示入力に基づいて台割データの入力処理を行う機能を有し、台割情報入力用プログラムは、作業者が、台割情報入力手段を用いて、台割データを入力する作業を行った場合に、入力された台割データが、インターネットを介して第１のコンピュータシステム内の台割情報収集手段へと送信され、台割情報格納手段に格納されるように機能し、
素材情報登録手段は、第２のコンピュータシステム側に用意された素材データを一覧表示するための素材リストを表示する機能と、この素材リスト内に表示されている特定の素材データを示す第１の指示入力と、台割用Ｗｅｂページ上の頁群台割表内の特定の頁を示す第２の指示入力と、を受け付ける機能と、素材情報登録用プログラムを利用して、第１の指示入力によって指示された特定の素材データを、第２の指示入力によって指示された特定の頁に登録する機能と、を有し、素材情報登録用プログラムは、作業者が、素材情報登録手段を用いて、第２のコンピュータシステム側に用意された所定の素材データを、所定の頁に登録する作業を行った場合に、素材データおよびその登録頁を示すデータが、インターネットを介して第１のコンピュータシステム内の素材情報収集手段へと送信され、素材情報格納手段内に格納されるようにしたものである。
【００１１】
(2)   本発明の第２の態様は、上述の第１の態様に係る雑誌・書籍の台割管理システムにおいて、
台割情報収集手段が、台割データとして、各折丁ごとの頁構成を示す折丁構成データを収集することができるようにし、
台割表作成手段が、１頁を１つの図形に対応させ、同一の折丁に属する頁についての図形を同一の行に配置することにより台割表を作成することができるようにしたものである。
【００１２】
(3)   本発明の第３の態様は、上述の第１または第２の態様に係る雑誌・書籍の台割管理システムにおいて、
台割情報収集手段が、台割データとして、掲載対象となる個々の記事もしくは広告についての名称および頁数を示すデータを収集する第１の機能と、台割データとして、個々の記事もしくは広告についての割付位置を示す割付位置データを収集する第２の機能と、を有し、
Ｗｅｂページ公開手段が、台割情報収集手段による上述の第１の機能によって収集された個々の記事もしくは広告を一覧表示するための記事・広告リストと、台割表作成手段によって作成された頁群台割表と、を同一の台割用Ｗｅｂページ上に公開する機能を有し、
台割情報入力手段が、この台割用Ｗｅｂページ上で、記事・広告リスト内に表示されている特定の記事もしくは広告を示す第１の指示入力と、頁群台割表内の特定の頁を示す第２の指示入力と、を受け付ける機能を有し、
第１の指示入力によって指示された特定の記事もしくは広告に対して、第２の指示入力によって指示された特定の頁を割付位置とする処理を行うことにより、台割情報収集手段の上述の第２の機能が果たされるように構成したものである。
【００１３】
(4)   本発明の第４の態様は、上述の第３の態様に係る雑誌・書籍の台割管理システムにおいて、
作業者によって、記事・広告リスト内の特定の記事もしくは広告の表示を、頁群台割表内の特定の頁に対応する図形内にドラッグアンドドロップする操作が行われた場合に、特定の記事もしくは広告を示す第１の指示入力および特定の頁を示す第２の指示入力が行われたものとし、ドラッグアンドドロップ操作の対象となった記事もしくは広告に対して、ドラッグアンドドロップ先となった特定の頁を割付位置とする処理が行われるようにしたものである。
【００１４】
(5)   本発明の第５の態様は、上述の第４の態様に係る雑誌・書籍の台割管理システムにおいて、
作業者によって、頁群台割表内の特定の図形内から記事・広告リスト内へのドラッグアンドドロップ操作、または頁群台割表内の特定の図形内から別な図形内へのドラッグアンドドロップ操作が行われた場合に、台割情報格納手段内に格納されている「行われた操作」に対応する記事もしくは広告についての割付位置データについて、「行われた操作」に応じた消去処理または変更処理が行われるようにしたものである。
【００１５】
(6)   本発明の第６の態様は、上述の第３〜第５の態様に係る雑誌・書籍の台割管理システムにおいて、
記事・広告リストに、記事もしくは広告の名称、頁数、ノンブルの各表示欄を設け、割付位置が定まった記事・広告については、ノンブルの表示欄に当該割付位置を示すノンブルを表示するようにし、
台割情報入力手段が、記事・広告リストにおける名称、頁数、ノンブルのいずれかの表示欄内の１点を指定する操作によって第１の指示入力を受け付ける機能を有し、
この第１の指示入力によって指示された特定の記事もしくは広告が複数の頁に渡る場合には、第２の指示入力によって指示された特定の頁を、割付位置の先頭頁とする処理が行われるようにしたものである。
【００１９】
(7)   本発明の第７の態様は、上述の第１〜第６の態様に係る雑誌・書籍の台割管理システムにおいて、
作業者によって、素材リスト内の特定の素材データを示す表示を、頁群台割表内の特定の頁に対応する図形内にドラッグアンドドロップする操作が行われた場合に、特定の素材データを示す第１の指示入力および特定の頁を示す第２の指示入力が行われたものとし、ドラッグアンドドロップ操作の対象となった素材データに対して、ドラッグアンドドロップ先となった特定の頁を登録頁とする処理が行われるようにしたものである。
【００２０】
(8)   本発明の第８の態様は、上述の第１〜第７の態様に係る雑誌・書籍の台割管理システムにおいて、
素材データの登録頁を示すデータとして、当該素材データが用いられる特定の記事もしくは広告の割付位置を基準とした相対頁を示すデータを用いるようにしたものである。
【００２１】
(9)   本発明の第９の態様は、上述の第１〜第８の態様に係る雑誌・書籍の台割管理システムにおいて、
素材情報収集手段が、既に素材情報格納手段内に格納済みの素材データを示す情報をＷｅｂページ公開手段に与える機能を有し、
Ｗｅｂページ公開手段が、この格納済みの素材データを示す情報をＷｅｂページ上に公開する機能を有し、
作業者が、Ｗｅｂブラウザを利用して、格納済みの素材データを確認することができるようにしたものである。
【００２２】
(10)  本発明の第１０の態様は、上述の第１〜第９の態様に係る雑誌・書籍の台割管理システムにおいて、
台割用Ｗｅｂページの閲覧操作、台割用Ｗｅｂページを利用した台割データの入力操作、または、台割用Ｗｅｂページを利用した素材データの登録操作について、個々の作業者ごとに各操作を許可するか否かを示すアクセス権の設定を行い、
Ｗｅｂブラウザ手段からＷｅｂページ公開手段へのアクセスがあった場合に、設定したアクセス権の範囲内で台割用Ｗｅｂページの公開が行われるようにしたものである。
【００２３】
(11)  本発明の第１１の態様は、上述の第１〜第１０の態様に係る雑誌・書籍の台割管理システムにおいて、
同一の雑誌もしくは書籍に関して、同一の台割用Ｗｅｂページもしくは相互に内容が影響する台割用Ｗｅｂページ群について、複数の作業者にアクセスが許可されていた場合に、これら複数の作業者のうちの誰か一人が先行してアクセスを行っている間は、他の作業者のアクセスが禁止されるようにしたものである。
【００２４】
(12)  本発明の第１２の態様は、上述の第１〜第１１の態様に係る雑誌・書籍の台割管理システムにおける第１のコンピュータシステムとして、コンピュータを動作させるためのプログラムを、コンピュータ読取り可能な記録媒体に記録するようにしたものである。
【００２５】
【発明の実施の形態】
以下、本発明を図示する実施形態に基づいて説明する。
【００２６】
§１．台割管理システムの基本構成
図１は、本発明の一実施形態に係る雑誌・書籍の台割管理システムの基本構成を示すブロック図である。ここで、一点鎖線で囲まれた各部分には、それぞれ印刷会社Ｘ、出版社Ａ、出版社Ｂに設置された構成要素が示されている。この台割管理システムの主たる構成要素は、印刷会社Ｘ側に設置された第１のコンピュータシステム１００と、出版社Ａ側に設置された第２のコンピュータシステム２１０（あるいは、出版社Ｂ側に設置された第２のコンピュータシステム２２０または２３０）である。ここに示す例では、第１のコンピュータシステム１００としては、Ｗｅｂサーバあるいはデータベースサーバとして機能するのに適した性能をもったコンピュータが用いられているが、第２のコンピュータシステム２１０，２２０，２３０としては、汎用のパソコンが用いられている。ここでは、第２のコンピュータシステムとして、出版社Ａ側に設置されたパソコン２１０と、出版社Ｂ側に設置されたパソコン２２０，２３０を用いた例が示されているが、本発明を実施する上では、第２のコンピュータシステムは少なくとも１台があれば足りる。ただ、実用上は、印刷会社Ｘの顧客となる多数の出版社にそれぞれ第２のコンピュータシステムとなるパソコンを設置するようにし、必要に応じて、１つの出版社に第２のコンピュータシステムとなる複数のパソコンを設置するケースが一般的である。
【００２７】
なお、以下の説明では、便宜上、パソコン２１０を用いて出版社Ａの作業者が台割作業を行う場合の例を示すが、パソコン２２０あるいは２３０を用いて出版社Ｂの作業者が行う台割作業も同様である。また、図１に示すシステムでは、印刷会社Ｘ側に、別なコンピュータシステム１１０，１２０が設置され、第１のコンピュータシステム１００と社内ＬＡＮで結合された状態が示されているが、コンピュータシステム１１０，１２０は、組版処理や製版処理などを行うために利用されるコンピュータである。これらのコンピュータシステム１１０，１２０は、本発明に係る台割管理システムの構成要素ではないが、本発明に係る台割管理システムと連繋させることにより、効率的な組版処理や製版処理などが可能になる。
【００２８】
第１のコンピュータシステム１００は、台割に必要な台割データを一元管理するためのシステムであり、第２のコンピュータシステム２００は、台割作業を行う作業者によって操作されるシステムである。本発明の第１の特徴は、これら両システムをインタ−ネット３００を介して接続した点にあり、第２の特徴は、第１のコンピュータシステム１００側から第２のコンピュータシステム２００側に提供されるＷｅｂページを利用して、台割作業を行うことができるようにした点にある。
【００２９】
続いて、各コンピュータシステムの具体的な構成要素について述べる。まず、第１のコンピュータシステム１００は、図示のとおり、Ｗｅｂページ公開手段１０１、台割情報収集手段１０２、台割情報格納手段１０３、台割表作成手段１０４、素材情報収集手段１０５、素材情報格納手段１０６によって構成されている。Ｗｅｂページ公開手段１０１は、台割用Ｗｅｂページをインターネット３００上に公開する機能を有する。ここで、台割用Ｗｅｂページは、後に具体例を示すように、台割データの入力画面、台割表の表示画面、素材データの入力画面として利用されるＷｅｂページである。なお、§３で述べるように、ここで公開されたＷｅｂページにアクセスするためには、所定のアクセス権を必要とする。したがって、台割用Ｗｅｂページは不特定多数に一般公開されるわけではなく、特定の者に対してのみ公開される情報である。台割情報収集手段１０２および素材情報収集手段１０５は、この台割用Ｗｅｂページを利用して情報収集を行う構成要素である。すなわち、台割情報収集手段１０２によって台割データの収集が行われ、素材情報収集手段１０５によって素材データの収集が行われることになる。こうして収集された台割データは台割情報格納手段１０３に格納され、素材データは素材情報格納手段１０６に格納される。
【００３０】
台割データは、台割に必要な種々の情報からなるデータであり、たとえば、各折丁ごとの頁構成を示す折丁構成データ、掲載対象となる個々の記事もしくは広告についての名称および頁数（ノンブルではなく、頁面の枚数）を示すデータ、掲載対象となる個々の記事もしくは広告についての割付位置（何頁目に掲載されるか）を示すデータ、などによって構成されることになる。一方、素材データは、各頁に割り付けられる素材の内容となるデータであり、たとえば、ある頁に記事が割り付けられる場合、この記事の本文を構成するテキストデータが素材データとなり、写真画像が割り付けられる場合、この写真画像の画像データが素材データとなる。
【００３１】
台割表作成手段１０４は、台割情報格納手段１０３内の台割データに基づいて台割表を作成する機能を有する。台割表は、１つの雑誌や書籍に掲載される個々の記事や広告について、対応する折丁や頁数などを提示するための表であり、実際には種々の形態のものが利用されている。本発明に係るシステムにおいても、台割表作成手段１０４は、要求に応じて種々の形態の台割表を作成する機能を有している。台割表作成手段１０４が作成した台割表は、Ｗｅｂページ公開手段１０１によって台割用Ｗｅｂページ上で公開される。
【００３２】
以上、第１のコンピュータシステム１００の構成を機能ブロックの集合として示したが、実際には、このシステム１００は、サーバ用コンピュータによって構築されることになり、上述した個々の機能ブロックは、このサーバ用コンピュータのハードウエアとソフトウエアとの組み合わせによって実現されることになる。
【００３３】
一方、第２のコンピュータシステム２１０は、図示のとおり、Ｗｅｂブラウザ手段２１１、台割情報入力手段２１２、素材情報登録手段２１３によって構成されている（システム２２０，２３０も同様の構成を有している）。Ｗｅｂブラウザ手段２１１は、インターネット３００上に公開されたＷｅｂページを閲覧する機能をもった構成要素であり、Ｗｅｂページ公開手段１０１によって特定の者に対して公開された台割用Ｗｅｂページを、ディスプレイ画面上に表示することができる。
【００３４】
台割情報入力手段２１２は、ディスプレイ画面上に表示された台割用Ｗｅｂページ上で台割データの入力処理を行う機能を有する。ここで入力された台割データは、インターネット３００を介して第１のコンピュータシステム１００側へと送られ、台割情報収集手段１０２によって収集され、台割情報格納手段１０３に格納されることになる。具体的には、出版社Ａの作業者が、台割用Ｗｅｂページ上で所定の指示を与えると、この指示に応じた台割データが台割情報収集手段１０２によって収集され、台割情報格納手段１０３に格納される。
【００３５】
素材情報登録手段２１３は、ディスプレイ画面上に表示された台割用Ｗｅｂページ上で素材データの登録処理を行う機能を有する。ここで登録された素材データは、インターネット３００を介して第１のコンピュータシステム１００側へと送られ、素材情報収集手段１０５によって収集され、素材情報格納手段１０６に格納されることになる。具体的には、出版社Ａの作業者が、台割用Ｗｅｂページ上で所定の指示を与えると、第２のコンピュータシステム２１０側に用意されていた所定の素材データが、所定の頁に登録されることになり、登録された素材データおよびその登録頁を示すデータが、素材情報収集手段１０５によって収集され、素材情報格納手段１０６に格納される。
【００３６】
なお、本実施形態では、Ｗｅｂページ公開手段１０１が、Ｗｅｂブラウザ手段２１１によって解釈実行可能な言語で記述された台割情報入力用プログラムあるいは素材情報登録用プログラムが埋め込まれた台割用Ｗｅｂページを公開する機能を有しており、台割情報入力手段２１２や素材情報登録手段２１３は、この埋め込まれたプログラムを利用して、台割データの入力処理や素材データの登録処理を行うことができる。別言すれば、Ｗｅｂブラウザ手段２１１、台割情報入力手段２１２、素材情報登録手段２１３は、いずれもキーボードやマウスなどの標準的な入力機器を備えたパソコンに、標準的なＷｅｂブラウザ用アプリケーションソフトウエアをインストールすることにより実現することができる。現在市販されている一般的なパソコンの多くは、キーボードやマウスなどの標準的な入力機器を備えており、しかも、ＯＳソフトウエアとともに標準的なＷｅｂブラウザ用アプリケーションソフトウエアがインストールされた状態で出荷されている。したがって、第２のコンピュータシステム２１０としては、現在、一般的に市販されているパソコンをそのまま利用することが可能になり、台割用の特別なソフトウエアをインストールしたり、バージョンアップしたりする必要はない。
【００３７】
インターネット３００上で公開するＷｅｂページの内容は、通常、ＨＴＭＬ形式で記述されたファイルとして用意される。本実施形態でも、Ｗｅｂページ公開手段１０１が公開するＷｅｂページは、ＨＴＭＬ形式で記述されている。このようなＨＴＭＬ形式のＷｅｂページには、Ｗｅｂブラウザによって解釈実行可能な言語で記述された任意のプログラムを埋め込むことができる。たとえば、ＪＡＶＡやＪＡＶＡスクリプトといった言語で記述されたプログラムは、ＨＴＭＬ形式のＷｅｂページに埋め込むことができるプログラムとして広く利用されており、このようなプログラムが埋め込まれたＷｅｂページを、一般的なＷｅｂブラウザソフトウエアで閲覧すると、閲覧時に埋め込まれたプログラムが自動的に解釈実行されることになる。また、米国マイクロソフト社が開発したＡｃｔｉｖｅＸなる技術を用いても、同様に任意のプログラムの実行が可能になる。台割情報入力手段２１２や素材情報登録手段２１３は、このようなＷｅｂページ埋込み型のプログラムの実行によって実現される手段であり、その処理内容は、Ｗｅｂページ公開手段１０１から提供されるＷｅｂページ内に埋め込まれたプログラムによって決定されることになる。
【００３８】
§２．台割データの収集処理
続いて、図１に示す台割管理システムにおける台割データの収集処理を、具体例に即して詳述する。本実施形態の場合、台割データは、▲１▼各折丁ごとの頁構成を示す折丁構成データ、▲２▼掲載対象となる個々の記事もしくは広告についての名称および頁数（ノンブルではなく、頁面の枚数）を示す記事・広告構成データ、▲３▼掲載対象となる個々の記事もしくは広告についての割付位置（何頁目に掲載されるか）を示す割付位置データ、によって構成される。台割情報収集手段１０２は、これらの各台割データを収集して、台割情報格納手段１０３に格納する機能を有しており、Ｗｅｂページ公開手段１０１は、これらの各台割データを入力するための台割用Ｗｅｂページを作成して、これをインターネット３００を介して公開する機能を有している。一方、Ｗｅｂブラウザ手段２１１は、この台割用Ｗｅｂページを閲覧する機能を有しており、台割情報入力手段２１２は、この台割用Ｗｅｂページ上で、上記各台割データの入力処理を行う機能を有している。
【００３９】
出版社Ａの作業者が、台割データの入力作業を行うには、実際には次のような手順を行うことになる。まず、第２のコンピュータシステムとなるパソコン２１０を起動し、インターネット３００に接続する。続いて、Ｗｅｂページ公開手段１０１によって公開されているＷｅｂページ群のホームページにアクセスする。このホームページには、各台割データ入力用の専用入力ページへのリンクが張られており、作業者は、このリンクを用いて必要な専用入力ページへアクセスする。
【００４０】
たとえば、図２は、上述した「▲１▼折丁構成データ」の入力ページの一例を示す図である。この入力ページでは、折丁名、頁数（当該折丁の構成頁の合計枚数）、色数、印刷方法、ノンブル（当該折丁がこの雑誌の何頁目〜何頁目に割り当てられるかを示す）なる入力欄をもった表が示されている。このような入力ページは、Ｗｅｂページ公開手段１０１によって公開されるＷｅｂページであり、Ｗｅｂブラウザ手段２１１によって、パソコン２１０のディスプレイ画面上に表示されることになる。出版社Ａの作業者は、この入力ページ上で、各欄に所望のデータを入力する作業を行えばよい。図示の例では、既に、表紙〜折丁Ｆまでの８種類の折丁についての構成が入力された状態が示されている。このような入力処理は、台割情報入力手段２１２によって実行されることになるが、この台割情報入力手段２１２は、既に述べたように、パソコン２１０に備わっているキーボードやマウスなどの入力機器、ＯＳソフトウエア、およびこのＷｅｂページに埋め込まれた台割情報入力用プログラムによって実現されることになる。
【００４１】
通常の雑誌は、色数や印刷方法などの条件が頁ごとに様々であり、また、頁ごとに用紙も異なることが多い。このため、雑誌は、同じ印刷条件で形成される折丁という単位部品を組み合わせることにより製造される。たとえば、図２の入力ページに示されている雑誌は、表紙／折丁Ａ〜Ｄ／ハガキ／折丁Ｅ〜Ｆ／…といった複数の折丁から構成されている。より具体的には、図２において「表紙」なる折丁は、２頁（１枚の紙の表裏）から構成され、色数４色のオフセット印刷で印刷される。同様に、「折丁Ａ」なる折丁は、４頁から構成され、色数４色のグラビア印刷で印刷される。また、「ハガキ」なる折丁は、２頁（１枚の紙の表裏）から構成され、色数１色のオフセット印刷で印刷される。
【００４２】
なお、この図２には、説明の便宜上、非常に単純な例を示してあるが、実際には、印刷に用いる用紙の種類など、この他にも種々の条件を各折丁ごとに設定することができる。また、ここに示す例は、いわゆる「平綴」と呼ばれる製本形態の雑誌についての折丁構成であるが、いわゆる「中綴」と呼ばれる製本形態の雑誌の場合は、折丁構成が若干異なることになる。
【００４３】
出版社Ａの作業者が、図２に示す入力ページ上で、個々の折丁ごとに、折丁名、色数や印刷方法などの印刷条件、頁数といった台割データを入力すると、この入力された台割データは、印刷会社Ｘ側の台割情報収集手段１０２によって収集され、台割情報格納手段１０３に格納されることになる。こうして入力された結果は、Ｗｅｂページ公開手段１０１によってこの入力ページ上に反映されることになるので、作業者は、入力結果をこの入力ページ上で直ちに確認することができ、表の空欄に文字を入力してゆく操作により、台割データの入力を行うことができる。図示の例では、同一の折丁に関する台割データが同一行に表示されており、個々の折丁に関する内容を容易に確認することができる。なお、この実施形態では、各折丁ごとに頁数が設定されているので、ノンブルについては、この頁数と折丁の組み合わせ順に基づいて自動的に決定される（ハガキについては、ノンブルは付与しない設定になっている）。別言すれば、ノンブルについては、台割情報収集手段１０２が台割情報格納手段１０３内の台割データに基づいて自動的に計算を行い、計算結果がノンブル欄に自動的に挿入されることになる。
【００４４】
この図２に示すような折丁構成データが台割情報格納手段１０３に格納されれば、台割表作成手段１０４によって、台割表を作成することが可能であり、作成した台割表をＷｅｂページ公開手段１０１によって公開することが可能である。図３は、こうしてＷｅｂページとして公開された台割表の一例を示す図である。このような台割表を表示するＷｅｂページは、Ｗｅｂページ公開手段１０１が公開するホームページからのリンクを辿ることによりアクセスすることができる。出版社Ａの作業者は、図２に示すような入力ページ上で折丁構成データを入力した後、図３に示すような台割表の表示ページによって、入力内容を確認することができる。この図３に示す台割表では、雑誌の１頁が１つの図形（この例では矩形）として表現されており、各図形の上部にはノンブル（この例では、頁１〜４２）が表示されている。同一の折丁に属する頁についての図形は、同一の行に配置されているので、１行を１つの折丁に対応させることができる。左端に並んだ台割表示欄には、各折丁の折丁名、印刷方法、色数が表示されている。なお、この図３に示す台割表は、図２に示す折丁構成データのみに基づいて作成された台割表であるため、折丁構成に関する情報のみが表示されており、いわば「骨格のみを示す台割表」となっている。実際の台割表では、後述するように、各頁ごとに特定の記事もしくは広告といった掲載内容が表示されることになる。
【００４５】
図４および図５は、上述した「▲２▼記事・広告構成データ」の入力ページの一例を示す図である。すなわち、図４は記事についての名称および頁数（記事構成データ）を入力するための専用の入力ページであり、図５は広告についての名称および頁数（広告構成データ）を入力するための専用の入力ページである。これらの入力ページは、Ｗｅｂページ公開手段１０１によって公開され、Ｗｅｂブラウザ手段２１１によって、パソコン２１０のディスプレイ画面上に表示されることになる。上述した折丁構成データの入力作業と同様に、出版社Ａの作業者は、この入力ページ上で、各欄に所望のデータを入力する作業を行えばよい。このような入力処理は、台割情報入力手段２１２によって実行されることになるが、このとき、Ｗｅｂページに埋め込まれた台割情報入力用プログラムが利用されることになる。こうして入力されたデータは、台割データとして、台割情報収集手段１０２によって収集され、台割情報格納手段１０３に格納される。
【００４６】
なお、この実施形態では、記事構成データと広告構成データとを、それぞれ別個独立した入力ページを用いて入力するようにしているが、両者を一括して入力できる共通の入力ページを用いるようにしてもかまわない。ただ、実用上は、記事の担当者（通常は、出版社の編集担当者）と広告の担当者（通常は、出版社の営業担当者）とがそれぞれ別個に決められている場合が多く、図４に示すような記事構成データ入力ページと、図５に示すような広告構成データ入力ページと、をそれぞれ別個独立して設けておき、編集担当者と営業担当者とがそれぞれ別個独立して入力作業を行うことができるようにしておいた方が便利である。
【００４７】
さて、台割データとして、「▲１▼折丁構成データ」と、「▲２▼記事・広告構成データ」とが入力されたら、これらの台割データを利用して、「▲３▼割付位置データ」の入力作業を行うことができる。この作業は、たとえば、図５に示す「○○自動車」の広告を、図２で指定された折丁構成における第４頁目に割り付ける、というような指示を与える作業になる。最終的には、図４に列挙されているすべての記事および図５に列挙されているすべての広告について、それぞれ割付位置データを入力する作業を行うことになる。これらの割付位置データは、台割データとして台割情報格納手段１０３内に格納されることになる。台割表作成手段１０４は、この格納された台割データに基づいて、図６に示すような台割表を作成することができる。作業者は、このような台割表を、台割表表示用のＷｅｂページ上で確認することができる。
【００４８】
図３に示す台割表が折丁構成のみを示す台割表（別言すれば、上述の台割データ▲１▼のみに基づく台割表）であったのに対し、図６に示す台割表は、個々の記事もしくは広告の割付位置に関する情報までもが含まれた台割表（別言すれば、上述の台割データ▲１▼，▲２▼，▲３▼を統合した情報を含む台割表）となっている。結局、この図６に示す例では、１頁が１つの図形（この例では矩形）に対応しており、特定の記事もしくは広告が割り付けられている頁に対応する図形内に、当該記事もしくは広告を示す情報が表示された状態となっている。ここでは、このような形態をもった台割表を、「頁群台割表」と呼ぶことにする。なお、図示の「頁群台割表」の例では、図示のとおり、複数頁に跨がって記事や広告が割り付けられる場合には、同一の記事や広告が割り付けられている隣接頁間の図形境界線は表示しないようにし、記事や広告を示す文字列を読みやすくしている。
【００４９】
台割表作成手段１０４には、図６に示すような頁群台割表の形態をもった台割表の他、種々の形態の台割表を作成する機能が備わっており、これら種々の形態の台割表がＷｅｂページ公開手段１００によって種々のＷｅｂページに公開されている。したがって、出版社Ａの作業者は、自分の好みの形態をもった台割表が表示されているＷｅｂページを選択的にアクセスすることにより、所望の形態の台割表を表示させることができる。たとえば、図７に示す記事台割表は、個々の記事について、割付位置を示す折丁およびノンブル、ならびに頁数を一覧表示した台割表である。図６に示す頁群台割表は、雑誌の頁構成が空間的に示されているため、記事や広告の割付分布を直観的に把握できるが、たとえば、出版社Ａの編集担当者が、記事に関する台割のみをリストとして確認したい場合には、図７に示す記事台割表を利用した方が便利である。
【００５０】
このように、台割表作成手段１０４に、複数の形態の台割表を作成する機能をもたせておけば、各作業者は、目的に合った形態の台割表の表示ページを選んで利用することができるので便利である。また、図１に示す例のように、出版社Ａと出版社Ｂとがこのシステムを利用しているような場合、同じ頁群台割表であっても、出版社Ａから要望される仕様と出版社Ｂから要望される仕様とが、細かな点において異なる場合もありうる。たとえば、図６に示す頁群台割表では、ノンブルの若い頁ほど右側になるように順に表示されているが、出版社によっては、逆に左側から順に表示するような要望が出されるようなケースもありうる。このような場合、個々の出版社の要望に応じて、複数通りの形態をもった台割表を作成できるようにしておき、各出版社ごとに、所定のＷｅｂページを閲覧してもらうようにすればよい。
【００５１】
続いて、本実施形態における「▲３▼割付位置データ」の入力処理を具体例に即して説明しよう。図８は、この「▲３▼割付位置データ」の入力を行うための割付位置データ入力ページの一例を示す。この入力ページには、図示のとおり、頁群台割表と広告リストとが表示されている。広告リストは、図５に示す広告構成データ入力ページから入力された広告を一覧表示するためのリストであり、台割情報格納手段１０３内の広告構成データに基づいて表示される。前述したように、一般的な出版社では、編集担当者が記事の台割作業を担当し、営業担当者が広告の台割作業を担当することが多い。そこで、図８では、割付位置データ入力ページ上に広告リストを表示させ、営業担当者による広告の台割作業を行う例が示されている。編集担当者による記事の台割作業を行う場合には、広告リストの代わりに記事リスト（台割情報格納手段１０３内の記事構成データに基づいて表示されるリストであり、記事を一覧表示するためのリスト）を表示した割付位置データ入力ページを用いるようにすればよい。もちろん、記事と広告との双方を一覧表示するための記事＆広告リストを表示した割付位置データ入力ページを用意してもかまわない。
【００５２】
このような広告リスト、記事リストあるいは記事＆広告リスト（以下、記事・広告リストという）は、台割情報収集手段１０２によって作成するようにしておけばよい。Ｗｅｂページ公開手段１０１は、台割表作成手段１０４によって作成された頁群台割表と、台割情報収集手段１０２によって作成された記事・広告リストとを同一の台割用Ｗｅｂページ（割付位置データ入力ページ）上に公開する処理を行う。この場合も、実際には、形態の異なる複数通りの入力ページを公開するようにし、作業者が自分の好みに合った入力ページを選択的に利用して、割付位置データの入力作業を行うことができるようにするのが好ましい。
【００５３】
作業者は、図８に示すような割付位置データ入力ページを利用して、広告リストに掲載されている個々の広告について、割付位置を指定する入力を行うことができる。図８に示す例は、既に、「○○デパート」なる広告について、割付位置データの入力が完了した状態を示しており、頁群台割表の第３８〜３９頁に対応する矩形内に、「○○デパート」なる文字列が表示されている。このような割付位置を指定する入力操作は、具体的には、台割情報入力手段２１２を用いて、割付位置データ入力ページ上の記事・広告リスト内に表示されている特定の記事もしくは広告を示す第１の指示入力と、頁群台割表内の特定の頁を示す第２の指示入力と、を行えばよい。このような２つの指示入力が行われると、台割情報入力手段２１２は、第１の指示入力によって指示された特定の記事もしくは広告に対して、第２の指示入力によって指示された特定の頁を割付位置とする処理を行い、この割付位置に関する情報は、インターネット３００を介して、台割情報収集手段１０２によって収集され、台割情報格納手段１０３に格納されることになる。
【００５４】
たとえば、図８に示す例において、マウスなどのポインティングデバイスを利用して、画面上で点Ｐ１を指示する入力が第１の指示入力として与えられると、この第１の指示入力は、広告リスト内の「○○自動車」なる広告を示す指示入力となる。続いて、画面上で点Ｐ２を指示する入力が第２の指示入力として与えられると、この第２の指示入力は、頁群台割表内の第４頁を示す指示入力となる。結局、このような２つの指示入力により、「○○自動車」なる広告を、第４頁に割り付ける旨の割付位置データ（台割データ）の入力が行われたことになり、このような割付位置データは、台割データとして、台割情報収集手段１０２によって収集され、台割情報格納手段１０３に格納される。その結果、台割表作成手段１０４によって、この「○○自動車」なる広告が割り付けられた状態を示す頁群台割表が作成され、割付位置データ入力ページの頁群台割表が新しいものに更新される。したがって、図８の頁群台割表の第４頁目の矩形内に、「○○自動車」なる文字列が追加されることになる。作業者は、自分の入力した割付位置データが反映された割付状態を直ちに画面上で確認することができるので、パソコン２１０に対する対話形式で台割作業を行ってゆくことができる。
【００５５】
なお、実際には、上述した第１の指示入力および第２の指示入力は、マウスなどを利用したドラッグアンドドロップ操作で行うようにすると、直感的な操作性が得られるようになる。すなわち、作業者によって、記事・広告リスト内の特定の記事もしくは広告の表示を、頁群台割表内の特定の頁に対応する図形内にドラッグアンドドロップする操作が行われた場合に、特定の記事もしくは広告を示す第１の指示入力および特定の頁を示す第２の指示入力が行われたものとの認識がなされるようにしておけばよい。たとえば、図８に示す例の場合、作業者が、マウスポインタを点Ｐ１の位置までもってゆき、この位置でマウスボタンを押した状態とし、そのままマウスボタンを押した状態を維持しながら、マウスポインタを点Ｐ２の位置までもってゆき、この位置でマウスボタンを放す操作を行うことにより、「○○自動車」なる広告についての割付位置データとして、「第４頁」なるデータが入力できることになる。作業者から見ると、あたかも広告リスト内の「○○自動車」なる文字列を頁群台割表の第４頁へ複写したような操作感覚が得られ、直感的な操作性を確保することが可能になる。
【００５６】
なお、本実施形態では、このようなドラッグアンドドロップ操作により、一度入力された割付位置データの消去や変更処理も可能になるようにしている。たとえば、図８に示す例において、頁群台割表の第３８〜３９頁に割り付けられている「○○デパート」なる文字列が表示された矩形内から、広告リスト内のいずれかの位置へドラッグアンドドロップ操作を行うことにより、この「○○デパート」についての割付位置データ（第３８，３９頁を示すデータ）を消去することができる。すなわち、このような操作入力が台割情報収集手段１０２によって認識され、台割情報格納手段１０３内に格納されていた当該割付位置データが消去されることになる。これにより、頁群台割表の第３８〜３９頁に表示されていた「○○デパート」なる文字列が消去されることになる。
【００５７】
また、頁群台割表の第３８〜３９頁に割り付けられている「○○デパート」なる文字列が表示された矩形内から、別な矩形内（たとえば、第４１頁の矩形内）の位置へドラッグアンドドロップ操作を行うことにより、この「○○デパート」についての割付位置データ（第３８，３９頁を示すデータ）を新たな割付位置データ（第４１頁，第４２頁を示すデータ）に変更することができる。すなわち、このような操作入力が台割情報収集手段１０２によって認識され、台割情報格納手段１０３内に格納されていた当該割付位置データが変更されることになる。これにより、頁群台割表の第３８〜３９頁に表示されていた「○○デパート」なる文字列は、第４１〜４２頁に移動することになる。
【００５８】
本実施形態の場合、割付位置データ入力ページに表示される記事・広告リスト（図８の例では、広告リスト）には、記事もしくは広告の名称、頁数、ノンブルの各表示欄を設け、割付位置が定まった記事・広告については、ノンブルの表示欄に当該割付位置を示すノンブルを表示するようにしている。たとえば、図８の例では、「○○デパート」なる広告についての割付位置が定まっているので、広告リストのノンブル欄には、「○○デパート」なる広告についてのみ「第３８〜３９頁」というノンブルが表示されている。このようなノンブル欄を設けておけば、個々の記事や広告が何頁に割り付けられたかを一目で確認することができるとともに、個々の記事や広告について、割付位置データの入力が済んでいるか否かを一目で確認することができる（ノンブル欄が空欄となっている記事・広告は、割付位置データが未入力ということになる）。もちろん、このノンブル欄に表示されるノンブルは、割付位置データの消去や変更があった場合には、適宜更新されることになる。
【００５９】
また、この実施形態では、ノンブル欄にノンブルが表示されている記事・広告の行を、記事・広告リストの下方にまとめて配置するような配慮がなされている。たとえば、図８に示す例において、「○○自動車」なる広告を、ドラッグアンドドロップ操作で頁群台割表の第４頁へと割り付ける操作を行うと、広告リストの「○○自動車」なる広告のノンブル欄には、上述したように、「第４頁」なる割付位置を示すノンブルが表示されるようになるが、このとき、「○○自動車」なる広告の行を、「○○デパート」なる広告の行の下（もしくは上）に移動させるようなソート処理が行われる。このように、割付位置が定まった（ノンブル欄にノンブルが表示された）記事や広告を、リストの下へと移動させるソート処理を行うと、割付作業が必要な記事や広告が、リストの上に集まることになるので、作業者は、次にどの記事や広告に対して割付作業を行うべきかを容易に認識することができるようになる。
【００６０】
なお、ドラッグアンドドロップ操作におけるドラッグの起点（図８の点Ｐ１に相当する第１の指示入力の点）は、記事・広告リストの各行のいずれの表示欄内の点であってもかまわない。たとえば、図８の例では、広告名の欄に点Ｐ１を位置させているが、同じ行のノンブル欄や頁数の欄に点Ｐ１を位置させるようにしてもかまわない。また、本実施形態では、第１の指示入力によって指示された特定の記事もしくは広告が複数の頁に渡る場合には、第２の指示入力によって指示された特定の頁を、割付位置の先頭頁とする処理が行われるようにしている。たとえば、「○○自動車」なる広告の場合は、当該広告が１頁分の広告であるため、第４頁にのみ割り付けられることになるが、「○○デパート」のように、複数頁に渡った広告の場合には、第２の指示入力で指示された頁が先頭頁となるような割付位置データを自動生成させるようにしておけばよい。具体的には、図８に示すように、「○○デパート」なる広告を第３８〜３９頁に割り付けるのであれば、第３８頁に対応する矩形内でドロップ操作を行えばよいことになる。
【００６１】
以上のとおり、本発明に係る雑誌・書籍の台割管理システムでは、作業者は、Ｗｅｂページ上で種々の台割データを入力する作業を行うことができるため、負担の少ない作業が可能になる。しかも、作業者側が利用する第２のコンピュータシステムは、Ｗｅｂブラウザ機能をもった汎用のパソコンによって実現することができるため、専用のアプリケーションソフトウエアなどをインストールする必要がなく、印刷会社側のメンテナンスの労力も軽減される。また、入力した台割データは、台割情報格納手段１０３において一元管理されるため、台割が変更になった場合でも、出版社側と印刷会社側との間で、台割データに食い違いが生じるような事故が発生することはない。
【００６２】
§３．素材データの収集処理
続いて、図１に示す台割管理システムにおける素材データの収集処理を、具体例に即して詳述する。既に§１で述べたように、素材データは、各頁に割り付けられる素材の内容となるデータであり、たとえば、ある頁に記事が割り付けられる場合、この記事の本文を構成するテキストデータが素材データとなり、写真画像が割り付けられる場合、この写真画像の画像データが素材データとなる。
【００６３】
従来、このような素材データは、磁気記録媒体などに収容した形で印刷会社Ｘに入稿するのが一般的であった。たとえば、写真画像の画像データなど、比較的データ容量の大きな素材データは、ＭＯディスクなどに収容した状態で印刷会社Ｘに持ち込まれることになる。この場合、ＭＯディスクに収容されている素材データが、どの雑誌の何頁目に割り付けられる素材なのかを認識する情報としては、素材データのファイル名か、ＭＯディスクに貼り付けられたラベルしかなく、印刷会社Ｘ内において、素材の取り違えミスが発生することも少なくない。最近は、素材データをオンラインで入稿する場合もあるが、その場合でも、台割データとは別個に入稿が行われるため、やはり取り違えミスなどが発生するおそれがある。特に、雑誌などでは、本文や写真などが後日差し替えられることが多く、この差し替えの際にミスが発生することが多い。
【００６４】
本発明に係る雑誌・書籍の台割管理システムは、§２で述べたように、台割データについては、台割情報収集手段１０２によって収集され、台割情報格納手段１０３に格納されるが、素材データについても同様に、素材情報収集手段１０５によって収集され、素材情報格納手段１０６に格納される。これらの情報は、いずれも台割用Ｗｅｂページを利用して収集される点で共通する。素材情報格納手段１０６に格納された素材データは、組版や製版作業を行う別なコンピュータシステム１１０，１２０などに読み込まれ、ＤＴＰ工程にそのまま利用されることになる。
【００６５】
本実施形態に係るシステムでは、素材データは、出版社Ａ側において、第２のコンピュータシステムであるパソコン２１０内に用意された素材情報登録手段２１３によって特定の頁に登録された上で、インターネット３００を介して第１のコンピュータシステム１００側へと送られ、素材情報収集手段１０５によって収集され、素材情報格納手段１０６に格納されることになる。具体的には、出版社Ａの作業者が、台割用Ｗｅｂページ上で所定の指示を与えると、第２のコンピュータシステム２１０内に用意されていた所定の素材データが、所定の頁に登録されることになり、登録された素材データおよびその登録頁を示すデータが、素材情報収集手段１０５によって収集され、素材情報格納手段１０６に格納される。既に述べたように、Ｗｅｂページ公開手段１０１は、Ｗｅｂブラウザ手段２１１によって解釈実行可能な言語で記述された素材情報登録用プログラムが埋め込まれた台割用Ｗｅｂページを公開する機能を有しており、素材情報登録手段２１３は、この埋め込まれたプログラムを利用して、素材データの登録処理を行うことになる。
【００６６】
本実施形態の場合、§２で述べた頁群台割表を利用して、素材データの登録処理を行うようにしている。図９は、素材情報登録手段２１３によって素材データの登録処理を行う際に、パソコン２１０のディスプレイ上に表示される素材データ登録用画面の一例を示す図である。この例では、ディスプレイ画面上に２つのウインドウＷ１，Ｗ２が表示されている。ここで、ウインドウＷ１は、Ｗｅｂブラウザ手段２１１によって表示されている台割用Ｗｅｂページであり、この台割用Ｗｅｂページ内には、頁群台割表が表示されている。既に述べたように、「頁群台割表」は、１頁が１つの図形（この例では矩形）に対応しており、特定の記事もしくは広告が割り付けられている頁に対応する図形内に、当該記事もしくは広告を示す情報が表示された態様の台割表であり、台割表作成手段１０４によって作成される。ウインドウＷ１内の台割用Ｗｅｂページは、このような頁群台割表を利用して素材データの登録を行うための専用Ｗｅｂページであり、Ｗｅｂページ公開手段１０１によってインターネット３００上に公開されている。出版社Ａの作業者は、Ｗｅｂブラウザ手段２１１を用いて、このような専用Ｗｅｂページにアクセスすることになる。
【００６７】
一方、ウインドウＷ２は、この実施形態では、パソコン２１０のＯＳソフトウエアによって表示されるファイル管理用のウインドウであり、出版社Ａ側に用意された素材データを一覧表示するための素材リストを表示するウインドウである。図示の例では、「国会議事堂の写真」、「ゴシック教会の写真」、「ビッグベンの写真」なる３つの画像ファイルと、「インタビュー記事」なるテキストファイルとからなる４つの素材データについての素材リストが表示されている。たとえば、これら４つの素材データが所定のフォルダ内に収容されている場合には、このフォルダ内のファイル一覧を表示するためのウインドウが、ウインドウＷ２ということになる。場合によっては、パソコン２１０のディスプレイ上のデスクトップ画面そのものが、ウインドウＷ２として機能するケースもある（特定のファイルに対応するアイコン表示が、デスクトップ上に直接行われているような場合）。
【００６８】
結局、この§３で説明する方法による素材データの登録処理を行うためには、第２のコンピュータシステム２１０側に素材データを用意し（必ずしも、パソコン２１０の内部に直接用意する必要はなく、外部からネットワークを介して調達できるようにしておいてもかまわない）、この素材データを一覧表示するための素材リスト（ウインドウＷ２内のリスト）と頁群台割表が掲載された台割用Ｗｅｂページ（ウインドウＷ１内のＷｅｂページ）とを、ディスプレイ画面上に表示させればよい。ウインドウＷ１は、Ｗｅｂページ公開手段１０１によって公開され、Ｗｅｂブラウザ手段２１１によってディスプレイ画面上に表示されたウインドウであり、ウインドウＷ２は、パソコン２１０のＯＳに標準的に備わっているファイル管理用プログラム（専用のファイル管理用プログラムをインストールして用いてもかまわない）によってディスプレイ画面上に表示されたウインドウである。
【００６９】
出版社Ａの作業者が、素材データの登録作業を行うには、実際には次のような手順を行うことになる。まず、第２のコンピュータシステムとなるパソコン２１０を起動し、インターネット３００に接続する。続いて、Ｗｅｂページ公開手段１０１によって公開されているＷｅｂページのホームページにアクセスする。このホームページには、種々のＷｅｂページへのリンクが張られており、作業者は、このリンクを用いて図９のウインドウＷ１に示すような素材データ登録用の専用入力ページへアクセスする。続いて、ファイル管理用プログラムによって、素材データのファイル一覧を示すウインドウＷ２を表示させ、これら両ウインドウＷ１，Ｗ２を利用して、個々の素材データを特定の頁に登録する作業が行われる。この登録作業は、たとえば、ウインドウＷ２内の「ゴシック教会の写真」なる素材データを、ウインドウＷ１内の第１７頁に割り付けられるべき素材として登録する、という指示を与える作業になる。
【００７０】
具体的には、素材情報登録手段２１３を用いて、ウインドウＷ２の素材リスト内に表示されている特定の素材データを示す第１の指示入力と、ウインドウＷ１の台割用Ｗｅｂページ上の頁群台割表内の特定の頁を示す第２の指示入力と、を行えばよい。このような２つの指示入力が行われると、素材情報登録手段２１３は、第１の指示入力によって指示された特定の素材データを、第２の指示入力によって指示された特定の頁に登録する処理を行う。そして、当該素材データおよびその登録頁を示すデータは、インターネット３００を介して、素材情報収集手段１０５によって収集され、素材情報格納手段１０６に格納されることになる。
【００７１】
たとえば、図９に示す例において、マウスなどのポインティングデバイスを利用して、画面上で点Ｐ３を指示する入力が第１の指示入力として与えられると、この第１の指示入力は、素材リスト内の「ゴシック教会の写真」なる素材データを示す指示入力となる。続いて、画面上で点Ｐ４を指示する入力が第２の指示入力として与えられると、この第２の指示入力は、頁群台割表内の第１７頁を示す指示入力となる。結局、このような２つの指示入力により、「ゴシック教会の写真」なる素材データを、第１７頁に登録する処理が行われたことになり、「ゴシック教会の写真」なる素材データ自身が、第１７頁という情報とともに、インターネット３００を介して素材情報収集手段１０５側へと送られ、素材情報格納手段１０６に格納される。
【００７２】
なお、実際には、上述した第１の指示入力および第２の指示入力は、マウスなどを利用したドラッグアンドドロップ操作で行うようにすると、直感的な操作性が得られるようになる。すなわち、作業者によって、素材リスト内の特定の素材データの表示を、頁群台割表内の特定の頁に対応する図形内にドラッグアンドドロップする操作が行われた場合に、特定の素材データを示す第１の指示入力および特定の頁を示す第２の指示入力が行われたものとの認識がなされるようにしておけばよい。たとえば、図９に示す例の場合、作業者が、マウスポインタを点Ｐ３の位置までもってゆき、この位置でマウスボタンを押した状態とし、そのままマウスボタンを押した状態を維持しながら、マウスポインタを点Ｐ４の位置までもってゆき、この位置でマウスボタンを放す操作を行うことにより、「ゴシック教会の写真」なる素材データを「第１７頁」に登録し、印刷会社Ｘ側へと伝送する操作ができることになる。作業者から見ると、あたかも素材リスト内の「ゴシック教会の写真」なる素材データを頁群台割表の第１７頁へ複写したような操作感覚が得られ、直感的な操作性を確保することが可能になる。なお、ドラッグアンドドロップ操作におけるドラッグの起点（図９の点Ｐ３に相当する第１の指示入力の点）は、素材データのファイルを示すアイコン部分でもよいし、ファイル名を示す文字列部分でもよい。
【００７３】
なお、素材データの登録頁を示すデータとしては、当該素材データが割り付けられる絶対頁を示すデータを用いる代わりに、当該素材データが用いられる特定の記事もしくは広告の割付位置を基準とした相対頁を示すデータを用いるようにするのが好ましい。たとえば、図９に示す例の場合、「ゴシック教会の写真」なる素材データが「第１７頁」に登録されることになるが、この素材データの登録頁を示すデータとしては、「第１７頁」という絶対頁を示すデータではなく、「ヨーロッパ的生活環境なる記事の１頁目」という相対頁を示すデータとしておくのが好ましい。これは、「ヨーロッパ的生活環境」という記事の台割が変更された場合に対処するための配慮である。相対頁を示すデータにしておけば、たとえば「ヨーロッパ的生活環境」という記事が別な頁に移動されるようになった場合でも、登録頁に対する変更を行う必要はなくなる。
【００７４】
また、素材情報収集手段１０５に、既に素材情報格納手段１０６内に格納済みの素材データを示す情報をＷｅｂページ公開手段１０１に与える機能を付加しておき、Ｗｅｂページ公開手段１０１が、この格納済みの素材データを示す情報をＷｅｂページ上に公開できるようにしておけば、作業者は、Ｗｅｂブラウザ手段２１１を利用して、格納済みの素材データを確認することができるようになる。たとえば、格納済みの素材データを示す情報を、図９に示すウインドウＷ１内の頁群台割表内の対応頁に表示するようにすれば、個々の頁に必要な素材データの登録が完了しているか否かを直観的に認識することができるようになる。ただ、各頁に割り付けられる素材が多数に渡る場合、頁群台割表内の個々の頁に対応する矩形内に、登録されたすべての素材データを示す情報を表示すると、表示が繁雑になり見にくくなるおそれがある。この場合には、頁群台割表の個々の頁あるいはその頁内に表示された小さなアイコンなどをクリックする操作を行うと、当該頁に登録済みの素材データの一覧が表示されるような構成をとるとよい。
【００７５】
もちろん、このようなドラッグアンドドロップ操作により、一度登録された素材データを取り消す処理や、登録頁を変更する処理を行うことができるようにしてもよい。たとえば、頁群台割表内に登録済みの素材データを示すアイコンを、ウインドウＷ１の外へドラッグアンドドロップする操作を行うことにより、当該登録を取り消す処理を行ったり、頁群台割表内に登録済みの素材データを示すアイコンを、ドラッグアンドドロップ操作で別な頁へ移動させることにより、当該素材データの登録頁を変更する処理を行ったりしてもよい。
【００７６】
以上のとおり、本発明に係る雑誌・書籍の台割管理システムでは、出版社側の作業者は、Ｗｅｂページ上で種々の素材データを登録する作業を行うことができ、登録された素材データは、登録頁を示す情報とともに印刷会社側へと伝送され、素材情報格納手段１０６内に格納されることになる。このため、従来のように、素材データをＭＯディスクなどに収容して入稿する必要がなくなり、出版社および印刷会社の双方にとって、入稿作業負担が軽減され、また、素材データの取り違え事故が生じることもなくなる。しかも、作業者側が利用する第２のコンピュータシステムは、Ｗｅｂブラウザ機能をもった汎用のパソコンによって実現することができるため、専用のアプリケーションソフトウエアなどをインストールする必要がなく、印刷会社側のメンテナンスの労力も軽減される。更に、入稿した素材データは、台割情報格納手段１０３において一元管理されるため、素材の差し替えなどが生じた場合でも、出版社側と印刷会社側との間で、素材データに食い違いが生じるような事故が発生することはない。
【００７７】
§３．アクセス権の設定
図１に示す雑誌・書籍の台割管理システムでは、Ｗｅｂページ公開手段１０１によって、種々の台割用Ｗｅｂページがインターネット３００上に公開されることになるが、台割用Ｗｅｂページが不特定多数の者に対して公開されることは好ましくなく、実用上は、ごく一部の特定の者に対してのみ公開されるようにする必要がある。たとえば、出版社Ａが出版する雑誌についての台割作業を行うＷｅｂページは、別な出版社Ｂの作業者によって閲覧されてしまうと支障が生じるので、少なくとも出版社Ａの作業者に対してのみ公開されるようにする必要がある。実際には、大手の出版社であれば、多数の品目の雑誌や書籍を出版しているのが普通であり、各品目ごとに担当者が異なるケースが多い。また、同一品目に複数の担当者が割り当てられる場合もある。しかも、第１の担当者が実際の台割作業を担当し、第２の担当者はこれをチェックするだけの作業を担当する、という場合もある。
【００７８】
そこで、本発明に係る雑誌・書籍の台割管理システムでは、台割用Ｗｅｂページの閲覧操作、台割用Ｗｅｂページを利用した台割データの入力操作、台割用Ｗｅｂページを利用した素材データの登録操作などについて、個々の作業者ごとに各操作を許可するか否かを示すアクセス権の設定を行っておき、Ｗｅｂブラウザ手段２１１からＷｅｂページ公開手段１０１へのアクセスがあった場合には、このアクセス権の範囲内で台割用Ｗｅｂページの公開が行われるようにしている。図１０は、このようなアクセス権設定の一例を示すリストである。この例では、種々の品目について、それぞれ担当者名が登録されており、特定の担当者が特定の品目についてアクセスする際のアクセス権が設定されている。具体的には、台割作成（§２で述べた台割データを入力する処理）、台割閲覧（台割表を閲覧する処理）、台割削除（特定の品目についての台割データをすべて削除する処理）、素材登録（§３で述べた素材データを登録する処理）という４つの処理を行うための権限がアクセス権として設定されている。
【００７９】
具体的には、図１０のリストにおいて、アクセス権の欄に○印が記されている場合には、当該担当者が当該品目に関して当該処理を行うための専用Ｗｅｂページをアクセスすることが許可されていることを示しており、逆に、×印が記されている場合には、アクセスが許可されていないことを示している。たとえば、月刊Ａなる雑誌の場合、「鈴木一郎」と「田中二郎」との２名の担当者が割当られれいるが、「鈴木一郎」にはいずれの形態のアクセスも許可されているのに対し、「田中二郎」には「台割作成」および「台割閲覧」という形態のアクセスしか許可されていない。したがって、「田中二郎」は、月刊Ａなる雑誌に関しては、台割削除を行うためのＷｅｂページや素材登録を行うためのＷｅｂページにアクセスすることはできないことになる。
【００８０】
なお、同一の雑誌もしくは書籍に関して、同一の台割用Ｗｅｂページもしくは相互に内容が影響する台割用Ｗｅｂページ群について、複数の作業者にアクセスが許可されていた場合に、これら複数の作業者のうちの誰か一人が先行してアクセスを行っている間は、他の作業者のアクセスが禁止されるようにするのが好ましい。
【００８１】
たとえば、図１０のリストでは、月刊Ａという同一の雑誌に関して、「鈴木一郎」と「田中二郎」との２名の担当者に「台割作成」という形態のアクセスが許可されている。したがって、月刊Ａについての台割作業を行うための図８に示すような割付位置データ入力ページには、「鈴木一郎」も「田中二郎」もアクセスすることが可能である。しかしながら、この図８に示すような同一の雑誌に関する同一の台割用Ｗｅｂページが、同時に二人の者からアクセスされると、両者間での別個の台割作業が同時進行する形となり混乱が生じることになる。そこで、このような場合には、たとえば「鈴木一郎」が先にアクセスを行った場合には、その間は「田中二郎」による同一の台割用Ｗｅｂページへのアクセスを禁止するようにするのが好ましい。
【００８２】
このような同時アクセスの禁止処置は、同一の雑誌もしくは書籍に関しての同一の台割用Ｗｅｂページのみに限るものではなく、相互に内容が影響するＷｅｂページ群についても、同様の処置をとるようにするのが好ましい。たとえば、「鈴木一郎」が月刊Ａについての台割作成の作業を完了し、続いてこの月刊Ａについての素材登録の作業を行うために、月刊Ａについて図９のウインドウＷ１内に示されているような頁群台割表が表示されたＷｅｂページをアクセスしようとした場合を考える。このとき、もし「田中二郎」が、月刊Ａについての台割をチェックするために、図８に示すような割付位置データ入力ページにアクセスしたとすると、「鈴木一郎」が素材登録の作業を行っている最中に、「田中二郎」が台割を変更する作業を行ってしまう可能性がある。しかも、図８に示すＷｅｂページと図９のウインドウＷ１内のＷｅｂページとは、相互に内容が影響するＷｅｂページ群に所属しているため、やはり両者が同時に作業を行うと混乱が生じることになる。そこで、このように相互に内容が影響するＷｅｂページ群についても、このＷｅｂページ群に所属する１つのＷｅｂページが先行アクセスされている場合には、後続するアクセスを禁止する処置をとるようにするのが好ましい。
【００８３】
なお、Ｗｅｂページ公開手段１０１に対して、特定のＷｅｂページへのアクセス要求があった場合に、このアクセス要求が正当なアクセス権に基づく要求であるか否かを判断するためには、予め各作業者ごとにユーザＩＤとパスワードを登録しておくようにし、Ｗｅｂページアクセス時に、このユーザＩＤとパスワードとを照合するようにすればよい。セキュリティを高めるためには、更に、第２のコンピュータシステムごとに固有の認証コードをインストールさせ、この認証コードにより特定のハードウエアからのアクセスであることを確認するようにしてもよい。
【００８４】
以上、本発明を図示するいくつかの実施形態に基づいて説明したが、本発明はこれらの実施形態に限定されるものではない。たとえば、上述の実施形態では、台割表作成手段１０４によって作成される台割表の代表的な一形態のみを示したが、実用上は、個々の出版社ごとに、あるいは各品目ごとに、それぞれ異なるタイプの台割表を作成するのが好ましい。この場合、予め図１１に示すような台割表タイプのリストを台割表作成手段１０４内に用意しておき、このリストに基づいて、特定の得意先（出版社）の特定の品目については、特定のタイプの台割表を作成するようにすればよい。
【００８５】
また、§３で述べた実施形態では、素材データの登録頁として、特定の１頁を示すデータを用いているが、ＤＴＰ工程における実際の素材割付処理は、見開き２頁分単位で行われるのが一般的であるので、素材データの登録頁として、見開き２頁分を示すデータを用いるようにしてもかまわない。また、図１に示すシステムでは、コンピュータシステム１１０，１２０によって、組版処理あるいは製版処理が行われることになるが、組版処理が完了したページのイメージを、Ｗｅｂページ公開手段１０１によってＷｅｂページとして公開するようにすれば、出版社の作業者は、Ｗｅｂブラウザ手段２１１を用いて、組版処理が完了したページのイメージをＷｅｂページ上で確認することができるようになる。
【００８６】
この他、本発明に係る雑誌・書籍の台割管理システムを利用して、台割表に基づいた各素材データの入稿日時の管理、組版処理完了日時の管理など、印刷会社の内部あるいは出版社を含めた全体的規模での処理の進捗管理を行うことも可能である。また、台割情報格納手段１０３内に格納された折丁構成データは、印刷にどのような紙が必要であり、インキが何色必要であるか、といった情報をもったデータであるので、このデータを、必要な紙やインクを発注するシステムに転送して、発注システムとの連繋動作を行うようなことも可能である。
【００８７】
【発明の効果】
以上のとおり本発明によれば、台割データを一元管理することができ、作業負担の少ない雑誌・書籍の台割管理システムを実現することができる。
【図面の簡単な説明】
【図１】本発明の一実施形態に係る雑誌・書籍の台割管理システムの基本構成を示すブロック図である。
【図２】図１に示すシステムにおいて、Ｗｅｂページ公開手段１０１によって公開される折丁構成データ入力ページの一例を示す図である。
【図３】図１に示すシステムにおいて、台割表作成手段１０４によって作成される折丁構成のみを示す台割表の一例を示す図である。
【図４】図１に示すシステムにおいて、Ｗｅｂページ公開手段１０１によって公開される記事構成データ入力ページの一例を示す図である。
【図５】図１に示すシステムにおいて、Ｗｅｂページ公開手段１０１によって公開される広告構成データ入力ページの一例を示す図である。
【図６】図１に示すシステムにおいて、台割表作成手段１０４によって作成される頁群台割表の一例を示す図である。
【図７】図１に示すシステムにおいて、台割表作成手段１０４によって作成される記事台割表の一例を示す図である。
【図８】図１に示すシステムにおいて、Ｗｅｂページ公開手段１０１によって公開される割付位置データ入力ページの一例を示す図である。
【図９】図１に示すシステムにおいて、素材情報登録手段２１３によって素材データの登録作業を行う画面の一例を示す図である。
【図１０】各品目ごとの各担当者に設定されたＷｅｂページに対するアクセス権の一例を示すリストの図である。
【図１１】各得意先の各品目ごとに、それぞれ対応する台割表のタイプを設定した例を示す図である。
【符号の説明】
１００…第１のコンピュータシステム（サーバ装置）
１０１…Ｗｅｂページ公開手段
１０２…台割情報収集手段
１０３…台割情報格納手段
１０４…台割表作成手段
１０５…素材情報収集手段
１０６…素材情報格納手段
１１０，１２０…組版や製版処理を行うコンピュータシステム
２１０…第２のコンピュータシステム（汎用パソコン）
２１１…Ｗｅｂブラウザ手段
２１２…台割情報入力手段
２１３…素材情報登録手段
２２０，２３０…第２のコンピュータシステム（汎用パソコン）
３００…インターネット
Ａ，Ｂ…出版社
Ｐ１〜Ｐ４…指示入力点
Ｗ１，Ｗ２…ウインドウ
Ｘ…印刷会社
【図１】
0003740944.tif 000002
【図２】
0003740944.tif 000003
【図３】
0003740944.tif 000004
【図４】
0003740944.tif 000005
【図５】
0003740944.tif 000006
【図６】
0003740944.tif 000007
【図７】
0003740944.tif 000008
【図８】
0003740944.tif 000009
【図９】
0003740944.tif 000010
【図１０】
0003740944.tif 000011
【図１１】
0003740944.tif 000012